(57)【要約】【課題】異なる通信形式の車両用キーによっても建物用錠の施解錠を確実に行うことができる建物用施解錠システムにおける通信中継装置を提供する。【解決手段】通信中継装置７は、住宅用施解錠装置６と通信可能に構成されている。この通信中継装置７は、車両用キー２から無線送信される車両ＩＤコード信号を受信する受信手段と、該受信した車両ＩＤコード信号を、住宅用施解錠装置６によって受信・解読可能な住宅ＩＤコード信号に変換して出力する中継制御部２１を備えている。【選択図】図１
2007262793.tif 000002
【特許請求の範囲】
【請求項１】
予め設定された建物用識別コードを含む建物用通信信号が建物用キーから入力されたことを条件として建物用錠を電気的に施解錠する建物用施解錠装置と通信可能に構成されるとともに、予め設定された車両用識別コードを含む車両用通信信号を車載装置に無線送信することにより該車載装置を遠隔制御する車両用キーと通信可能に構成され、
前記車両用通信信号を受信する受信手段と、
該受信した車両用通信信号を前記建物用通信信号に変換して出力する信号変換手段とを備えることを特徴とする建物用施解錠システムにおける通信中継装置。
【請求項２】
前記車両用キーに設定された車両用識別コードと、前記建物用施解錠装置に設定された建物用識別コードとを記録する記録手段を備え、
前記信号変換手段は、前記受信手段によって受信した前記車両用通信信号に含まれる車両用識別コードが、前記記録手段に記録された車両用識別コードと一致したことを条件として、該記録手段に記録された建物用識別コードを含む前記建物用通信信号を前記建物用施解錠装置に出力することを特徴とする請求項１に記載の建物用施解錠システムにおける通信中継装置。
【請求項３】
操作者によって操作された際にその操作信号を前記信号変換手段に出力する操作手段を備え、
前記信号変換手段は、前記操作信号の入力に基づいて前記建物用施解錠装置に対する前記建物用通信信号の出力有無を制御することを特徴とする請求項１または請求項２に記載の建物用施解錠システムにおける通信中継装置。
【請求項４】
前記受信手段は、複数種の通信形式の前記車両用通信信号を受信可能に構成され、
前記信号変換手段は、予め設定された受信選択条件に基づき、前記受信手段によって受信可能な通信形式を選択的に切り換える受信信号選択制御を行うとともに、その選択された通信形式で受信された車両用通信信号を前記建物用通信信号に変換して出力することを特徴とする請求項１〜３のいずれか１項に記載の建物用施解錠システムにおける通信中継装置。
【請求項５】
複数種の通信形式の前記建物用通信信号を出力可能な出力手段を備え、
前記信号変換手段は、予め設定された出力選択条件に基づき、前記建物用通信信号の通信形式を選択的に切り換える出力信号選択制御を行うことを特徴とする請求項１〜４のいずれか１項に記載の建物用施解錠システムにおける通信中継装置。
【発明の詳細な説明】
【技術分野】
【０００１】
本発明は、建物用キーとの通信に基づいて建物用錠を電気的に施解錠する建物用施解錠システムに用いられる通信中継装置に関するものである。
【背景技術】
【０００２】
近年、ユーザによって所持される携帯機（電子キー）と車両や住宅に設けられた施解錠装置との間で無線通信を行うことにより、電子照合によって車両や住宅のドア錠を施解錠する電子照合式施解錠システムが種々提案されている。こうした電子照合式施解錠システムでは、車両用と住宅用とが個別に設定されており、基本的には両者に互換性はない。しかし、両者に互換性を持たせることにより、車両用電子キーと住宅用電子キーとをユーザが個別に所持することが不要となるため、携帯性、利便性が高い。
【０００３】
そこで従来、例えば特許文献１に記載されるように、車両用キーによっても住宅用錠の施解錠を可能とする建物用施解錠システムが提案されている。この建物用施解錠システムでは、住宅用錠を電気的に施解錠する住宅用施解錠装置は、車両用キーと通信可能となっているとともに、車両用キーに設定された固有の識別コード（車両用ＩＤコード）を設定可能となっている。そして、住宅用施解錠装置は、車両用キーとの間で通信を行い、車両用キーに設定された車両用ＩＤコードが、自身に設定された車両用ＩＤコードと一致した際にドア錠を解錠する。すなわち、車両用キーによっても住宅用錠を施解錠させることができるようになっている。このため、車両のユーザは、車両用キーと住宅用キーとを所持する必要がなく、高い携帯性及び利便性を得ることができる。
【特許文献１】特開２００１−２４１２２７号公報
【発明の開示】
【発明が解決しようとする課題】
【０００４】
ところが、このような車両用キーによる住宅用施解錠装置の施解錠は、車両用キーの通信形式と住宅用キーの通信形式とが一致している場合にのみ可能となり、両者の通信形式が異なる場合には不能である。
【０００５】
また、開発当初においては両者を共用できるように両者の通信形式を合致させたとしても、ユーザ側の視点では、例えば車両の買い換え時に両者の通信形式が異なってしまった場合などには、対応できなくなるおそれもある。
【０００６】
一方、メーカ側の視点では、例えば車両のモデルチェンジと住宅用施解錠装置のモデルチェンジとで時期やスパンが異なるといった車両側と住宅側とでの開発速度の違いなどにより、両者の通信形式が異なってしまうことも考えられる。
【０００７】
本発明はこうした実情に鑑みてなされたものであり、その目的は、異なる通信形式の車両用キーによっても建物用錠の施解錠を確実に行うことができる建物用施解錠システムにおける通信中継装置を提供することにある。
【課題を解決するための手段】
【０００８】
上記の課題を解決するために、請求項１に記載の発明では、予め設定された建物用識別コードを含む建物用通信信号が建物用キーから入力されたことを条件として建物用錠を電気的に施解錠する建物用施解錠装置と通信可能に構成されるとともに、予め設定された車両用識別コードを含む車両用通信信号を車載装置に無線送信することにより該車載装置を遠隔制御する車両用キーと通信可能に構成され、前記車両用通信信号を受信する受信手段と、該受信した車両用通信信号を前記建物用通信信号に変換して出力する信号変換手段とを備えることを要旨とする。
【０００９】
上記構成によると、車両用キーから送信される車両用通信信号は、信号変換手段によって建物用通信信号に変換されて建物用施解錠装置に通信される。このため、建物用施解錠装置は、信号変換手段から通信された建物用通信信号に基づいて建物用錠の施解錠を行うこととなる。よって、車両用通信信号と建物用通信信号とで通信形式が異なる場合であっても、車両用キーを用いた建物用錠の施解錠が可能となる。
【００１０】
請求項２に記載の発明では、請求項１に記載の建物用施解錠システムにおける通信中継装置において、前記車両用キーに設定された車両用識別コードと、前記建物用施解錠装置に設定された建物用識別コードとを記録する記録手段を備え、前記信号変換手段は、前記受信手段によって受信した前記車両用通信信号に含まれる車両用識別コードが、前記記録手段に記録された車両用識別コードと一致したことを条件として、該記録手段に記録された建物用識別コードを含む前記建物用通信信号を前記建物用施解錠装置に出力することを要旨とする。
【００１１】
上記構成によると、信号変換手段は、車両用キーからの車両用通信信号を受信した際に、その車両用通信信号に含まれる車両用識別コードが記録手段に記録された車両用識別コードと一致したことを条件として、建物用識別コードを含む建物用通信信号を建物用施解錠装置に出力する。すなわち、信号変更手段は、車両用キーからの車両用通信信号を受信したとしても、その車両用通信信号に含まれる車両用識別コードと記録手段に記録された車両用識別コードとが一致しない限り、建物用通信信号を建物用施解錠装置に出力しない。このため、建物用施解錠装置の高いセキュリティレベルを維持することができる。
【００１２】
請求項３に記載の発明では、請求項１または請求項２に記載の建物用施解錠システムにおける通信中継装置において、操作者によって操作された際にその操作信号を前記信号変換手段に出力する操作手段を備え、前記信号変換手段は、前記操作信号の入力に基づいて前記建物用施解錠装置に対する前記建物用通信信号の出力有無を制御することを要旨とする。
【００１３】
上記構成によると、操作手段の操作に基づき、車両用キーによる建物用錠の施解錠可否を切り換えることが可能となる。このため、特に車両用キーから送信される車両用通信信号の通信領域が広く設定されている場合などにおいて、その通信領域内に建物用施解錠装置と車両とが存在する際に、ユーザの意に反して車両用通信信号に応答して建物用錠が施解錠されてしまうのを、操作手段の操作によって防止可能となる。よって、ユーザの意に則した建物用錠の施解錠が可能となり、利便性がより向上する。
【００１４】
請求項４に記載の発明では、請求項１〜３のいずれか１項に記載の建物用施解錠システムにおける通信中継装置において、前記受信手段は、複数種の通信形式の前記車両用通信信号を受信可能に構成され、前記信号変換手段は、予め設定された受信選択条件に基づき、前記受信手段によって受信可能な通信形式を選択的に切り換える受信信号選択制御を行うとともに、その選択された通信形式で受信された車両用通信信号を前記建物用通信信号に変換して出力することを要旨とする。
【００１５】
上記構成によると、受信手段によって受信可能な車両用通信信号の通信形式は、受信選択条件に基づいて選択的に切り換えられる。そして、受信された車両用通信信号は建物用通信信号に変換されて建物用施解錠装置に出力される。このため、こうした通信中継装置では、通信形式がそれぞれ異なる複数種の車両用キーから送信される車両用通信信号を選択的に受信可能となる。よって、複数種の車両用キーによって建物用錠を施解錠させることが可能となり、汎用性が向上する。
【００１６】
請求項５に記載の発明では、請求項１〜４のいずれか１項に記載の建物用施解錠システムにおける通信中継装置において、複数種の通信形式の前記建物用通信信号を出力可能な出力手段を備え、前記信号変換手段は、予め設定された出力選択条件に基づき、前記建物用通信信号の通信形式を選択的に切り換える出力信号選択制御を行うことを要旨とする。
【００１７】
上記構成によると、信号変換手段から出力される建物用通信信号の通信形式は、出力選択条件に基づいて選択的に切り換えられる。このため、こうした通信中継装置では、通信形式がそれぞれ異なる複数種の建物用施解錠装置に対応した通信形式で建物用通信信号を出力可能となる。よって、複数種の建物用施解錠装置に対応させることが可能となり、汎用性が向上する。
【発明の効果】
【００１８】
以上詳述したように、本発明によれば、異なる通信形式の車両用キーによっても建物用錠の施解錠を確実に行うことができる建物用施解錠システムにおける通信中継装置を提供することができる。
【発明を実施するための最良の形態】
【００１９】
（第１実施形態）
以下、本発明を具体化した第１実施形態を図１及び図２に基づき詳細に説明する。
＜車両用施解錠システム＞
図１に示すように、車両用施解錠システムは、車両１の所有者（車両ユーザ）によって所持される車両用キー２と、車両１に搭載される車載装置３とを備えている。車両用キー２は無線通信機能を有し、図示しない操作部が操作された際に、予め設定された固有の車両用ＩＤコードと、該操作部の操作に対応する施解錠コードとを含む車両用通信信号としての車両ＩＤコード信号を外部に送信する。詳しくは、例えば操作部は施錠操作スイッチと解錠操作スイッチとから構成され、車両用キー２は、施錠操作スイッチが操作された際には施錠コードと車両用ＩＤコードとを含む車両ＩＤコード信号を送信し、解錠操作スイッチが操作された際には解錠コードと車両用ＩＤコードとを含む車両ＩＤコード信号を送信する。
【００２０】
こうした車両ＩＤコード信号は車載装置３との間で設定された固有の通信形式に設定されており、該車載装置３は、対応する車両用ＩＤコードを含む車両ＩＤコード信号を受信した際に、その車両ＩＤコード信号に含まれる施解錠コードに基づいて車両１のドア錠を電気的に施解錠する。すなわち、車載装置３は、対応する車両用キー２からの無線信号を用いた遠隔操作によってドア錠の施解錠制御を行う。
【００２１】
＜住宅用施解錠システム＞
一方、住宅用施解錠システム（建物用施解錠システム）は、住宅４の家人によって所持される住宅用キー５と、住宅４に配設された住宅用施解錠装置（建物用施解錠装置）６とを備えている。住宅用キー５は無線通信機能を有し、図示しない操作部が操作された際に、予め設定された固有の住宅用ＩＤコードと、該操作部の操作に対応する施解錠コードとを含む建物用通信信号としての住宅ＩＤコード信号を外部に送信する。詳しくは、例えば操作部は施錠操作スイッチと解錠操作スイッチとから構成され、住宅用キー５は、施錠操作スイッチが操作された際には施錠コードと住宅用ＩＤコードとを含む住宅ＩＤコード信号を送信し、解錠操作スイッチが操作された際には解錠コードと住宅用ＩＤコードとを含む住宅ＩＤコード信号を送信する。
【００２２】
こうした住宅ＩＤコード信号は、住宅用施解錠装置６との間で設定された固有の通信形式に設定されている。なお、本実施形態において住宅ＩＤコード信号は、前記車両ＩＤコード信号とは異なる通信形式に設定されている。ちなみに、異なる通信形式とは、周波数、変調方式、データ構造、通信手順等が異なることを示す。
【００２３】
住宅用施解錠装置６は、住宅４の玄関ドア内等に設けられ、施解錠制御部１１と、その施解錠制御部１１に電気的に接続された住宅用受信回路１２及び電気錠１３とを備えている。
【００２４】
住宅用受信回路１２は、前記住宅ＩＤコード信号と同じ通信形式の電波を受信可能に構成され、該住宅ＩＤコード信号を受信すると、その住宅ＩＤコード信号をパルス信号に復調して施解錠制御部１１に出力する。
【００２５】
電気錠１３は、ドア錠のロックバーを電気的に駆動する装置であり、施解錠制御部１１から入力される駆動信号に基づいてドア錠を施解錠する。
施解錠制御部１１は、具体的には図示しないＣＰＵ、ＲＯＭ、ＲＡＭ等からなるコンピュータユニットであり、不揮発性のメモリ１１Ｍを備えている。このメモリ１１Ｍには対応する住宅用キー５に設定された住宅用ＩＤコードが記録されている。そして、施解錠制御部１１は、住宅用受信回路１２から住宅ＩＤコード信号が入力されると、その住宅ＩＤコード信号に含まれる住宅用ＩＤコードと、メモリ１１Ｍに記録された住宅用ＩＤコードとの比較（照合）を行う。その結果、該照合が成立すると、施解錠制御部１１は、該住宅ＩＤコード信号に含まれる施解錠コードに基づく駆動信号を電気錠１３に出力してドア錠を施解錠させる。
【００２６】
すなわち、住宅用施解錠装置６は、対応する住宅用ＩＤコードを含む住宅ＩＤコード信号を受信したことを条件として、ドア錠を自動的に施解錠する。
＜通信中継装置７＞
ところで、住宅４における例えば玄関ドア内やその近傍等の住宅用施解錠装置６の近辺には、通信中継装置７が配設されている。この通信中継装置７は、信号変換手段としての中継制御部２１と、その中継制御部２１に電気的に接続された受信手段としての中継用受信回路２２、送信回路２３、操作手段としてのトリガスイッチ２４及び登録スイッチ２５とを備えている。
【００２７】
中継用受信回路２２は、前記車両ＩＤコード信号と同じ通信形式の電波を受信可能に構成され、該車両ＩＤコード信号を受信すると、その車両ＩＤコード信号をパルス信号に復調して中継制御部２１に出力する。
【００２８】
送信回路２３は、中継制御部２１から入力される住宅ＩＤコード信号を、前記住宅用施解錠装置６の受信回路１２によって受信可能な電波に変調して外部に送信する。
トリガスイッチ２４は、例えば住宅４の屋外側に配設される操作部であり、操作されるとその操作信号（トリガ信号）を中継制御部２１に出力する。
【００２９】
登録スイッチ２５は、住宅４の屋内側に配設されて原則として家人のみによって操作可能な操作部であり、操作されるとその操作信号（登録信号）を中継制御部２１に出力する。
【００３０】
中継制御部２１は、具体的には図示しないＣＰＵ、ＲＯＭ、ＲＡＭ等からなるコンピュータユニットであり、不揮発性のメモリ２１Ｍを備えている。このメモリ２１Ｍには、前記車両用ＩＤコード及び前記住宅用ＩＤコードを記録可能となっている。なお、本実施形態においてメモリ２１Ｍには前記住宅用ＩＤコードが予め記録されているものとする。
【００３１】
こうした中継制御部２１は、前記車両用キー２から送信される車両ＩＤコード信号を解読可能であるとともに、前記住宅用施解錠装置６の施解錠制御部１１によって解読可能な通信形式で、メモリ２１Ｍに記録された住宅用ＩＤコードを含む住宅ＩＤコード信号を出力可能となっている。
【００３２】
また、中継制御部２１は、トリガスイッチ２４から入力されるトリガ信号に基づいて動作可否を切り換えるようになっており、トリガ信号が入力される毎に、動作モードと停止モードとに切り換わる。なお、動作モードとは、自身を処理待機状態にするとともに、中継用受信回路２２を受信待機状態に、送信回路２３を送信待機状態にするモードである。また、停止モードとは、自身を処理不能状態にするとともに、中継用受信回路２２を受信不能状態に、送信回路２３を送信不能状態にするモードである。
【００３３】
そして、動作モードにおいて中継制御部２１は、中継用受信回路２２から車両ＩＤコード信号が入力されると、その車両ＩＤコード信号に含まれる車両用ＩＤコードとメモリ２１Ｍに記録された車両用ＩＤコードとの照合を行う。その結果、該照合が成立すると、中継制御部２１は、メモリ２１Ｍに記録された住宅用ＩＤコードと、該車両ＩＤコード信号に含まれる施解錠コードと対応する施解錠コードとを含む住宅ＩＤコード信号を送信回路２３に出力する。すなわち、中継制御部２１は、対応する車両用キー２から送信された車両ＩＤコード信号が入力されると、前記住宅用キー５と同様に住宅ＩＤコード信号を送信回路２３から送信される。
【００３４】
一方、停止モードにおいては、中継用受信回路２２による車両ＩＤコード信号の受信自体が行われないため、中継制御部２１は何ら処理を行わない。
また、中継制御部２１は、登録スイッチ２５から登録信号が入力されると、登録モードに切り換わる。この登録モードにおいて中継制御部２１は、中継用受信回路２２によって受信した車両ＩＤコード信号に含まれる車両用ＩＤコードをメモリ２１Ｍに記録する。
【００３５】
＜各装置間の通信シーケンス＞
次に、このように構成された車両用キー２と通信中継装置７と住宅用施解錠装置６との間で行われる通信処理について、図２に示すシーケンスチャートを用いて説明する。
【００３６】
まず、同図に示すステップＳ１において、通信中継装置７の登録スイッチ２５が操作されると、ステップＳ２において中継制御部２１は登録モードに切り換わる。このとき、中継制御部２１は、動作モード、停止モードのどちらに設定されていたとしても登録モードに切り換わる。
【００３７】
そして、ステップＳ３において車両用キー２の操作部が操作され、この登録モードの状態で中継用受信回路２２によって車両用キー２からの車両ＩＤコード信号を受信すると、中継制御部２１は、ステップＳ３において該車両ＩＤコード信号に含まれる車両用ＩＤコードをメモリ２１Ｍに記録し、ステップＳ４において停止モードに切り換わる。
【００３８】
こうした停止モードにおいて中継制御部２１は、ステップＳ６においてトリガスイッチ２４が操作されると、ステップＳ７において動作モードに切り換わる。
そして、ステップＳ８において車両用キー２の操作部が操作され、この動作モードの状態で中継用受信回路２２によって車両用キー２からの車両ＩＤコード信号を受信すると、中継制御部２１は、ステップＳ９において該車両ＩＤコード信号に含まれる車両用ＩＤコードと、メモリ２１Ｍに記録された車両用ＩＤコードとの照合を行う。その結果、該照合が成立すると、中継制御部２１は、メモリ２１Ｍに記録された住宅用ＩＤコードを含む住宅ＩＤコード信号を送信回路２３から送信させる。すなわち、中継制御部２１は、中継用受信回路２２から入力される車両ＩＤコード信号が、対応する車両用キー２から送信されたものであると判断した際に、住宅ＩＤコード信号を送信回路２３から送信させる。
【００３９】
そして、住宅用施解錠装置６は、通信中継装置７から送信された住宅ＩＤコード信号を受信すると、その住宅ＩＤコード信号に含まれる住宅用ＩＤコードとメモリ１１Ｍに記録された住宅用ＩＤコードとの照合を行い、該照合が成立した際に電気錠１３を駆動させてドア錠を施解錠させる。このため、車両用キー２の操作に基づいて住宅４のドア錠をも施解錠させることができる。
【００４０】
したがって、本実施形態によれば以下のような効果を得ることができる。
（１）車両用キー２から送信される車両ＩＤコード信号は、中継制御部２１によって住宅ＩＤコード信号に変換されて住宅用施解錠装置６に送信される。そして、住宅用施解錠装置６は、通信中継装置７から送信された住宅ＩＤコード信号に基づいてドア錠の施解錠を行う。このため、車両ＩＤコード信号と住宅ＩＤコード信号とで通信形式が同じ場合はもちろん、該通信形式が異なる場合であっても、車両用キー２を用いた住宅用施解錠装置６の制御が可能となり、該車両用キー２を用いた住宅４のドア錠の施解錠が可能となる。よって、車両ユーザは車両用キー２と住宅用キー５とを両方所持する必要がなくなり、携帯性・利便性が向上する。
【００４１】
（２）中継制御部２１は、車両用キー２から送信された車両ＩＤコード信号を受信した際に、その車両ＩＤコード信号に含まれる車両用ＩＤコードがメモリ２１Ｍに記録された車両用ＩＤコードと一致したことを条件として、住宅用ＩＤコードを含む住宅ＩＤコード信号を住宅用施解錠装置６に出力する。すなわち、中継制御部２１は、車両ＩＤコード信号を受信したとしても、その車両ＩＤコード信号に含まれる車両用ＩＤコードとメモリ２１Ｍに記録された車両用ＩＤコードとが一致しない限り、住宅ＩＤコード信号を住宅用施解錠装置６に出力しない。このため、住宅用施解錠装置６の高いセキュリティレベルを維持することができる。
【００４２】
（３）通信中継装置７は、トリガスイッチ２４の操作に基づいて動作モードと停止モードとに切り換わり、停止モードにおいては住宅ＩＤコード信号の送信を行わない。このため、特に車両用キー２から送信される車両ＩＤコード信号の通信領域が広く設定されている場合などにおいて、その通信領域内に住宅用施解錠装置６と車両１（車載装置３）とが存在する際に、ユーザの意に反して車両ＩＤコード信号に応答して住宅４のドア錠が施解錠されてしまうのを、トリガスイッチ２４の操作によって防止することができる。よって、ユーザの意に則した住宅用錠の施解錠が可能となり、利便性をより向上させることができる。
【００４３】
（第２実施形態）
次に、本発明を具体化した第２実施形態を図３に基づいて説明する。ここでは第１実施形態と相違する点を主に述べ、共通する点については同一部材番号を付すのみとしてその説明を省略する。
【００４４】
図３に示すように、本実施形態において第１実施形態と異なる点は、通信中継装置７の構成である。詳しくは、通信中継装置７は、中継制御部２１にそれぞれ電気的に接続された受信切換スイッチ２６と送信切換スイッチ２７とを新たに備えている。これら切換スイッチ２６，２７は、例えば住宅４の屋内側に配設され、家人によって操作可能となっている。そして、受信切換スイッチ２６が操作されると受信切換信号が中継制御部２１に入力され、送信切換スイッチ２７が操作されると送信切換信号が中継制御部２１に入力される。
【００４５】
中継制御部２１は、複数種のデータ構造をなすデータ信号を解読可能な解読プログラムを有し、受信切換スイッチ２６から入力される受信切換信号に基づいて解読プログラムを選択するとともに、中継用受信回路２２に対して切換指令信号を出力する。また、中継制御部２１は、住宅ＩＤコード信号を複数種のデータ構造に変換可能なデータ変換プログラムを有し、該住宅ＩＤコード信号の出力時には、送信切換スイッチ２７から入力される送信切換信号に基づくデータ構造で該住宅ＩＤコード信号を出力するとともに、送信回路２３に対して切換指令信号を出力する。
【００４６】
中継用受信回路２２は、それぞれ異なる通信形式の電波を受信可能に設定された複数のチャンネルを備え、中継制御部２１から入力される切換指令信号に基づいてそれらチャンネルが切り換わるようになっている。詳しくは、例えば中継用受信回路２２は、受信周波数のチューニング機能と、複数の復調回路部とを備え、切換指令信号に基づいて受信周波数や復調方式が切り換わるようになっている。すなわち、中継用受信回路２２は、中継制御部２１から入力される切換指令信号を受信選択条件として受信信号選択制御を行う。
【００４７】
同様に、送信回路２３もまた、それぞれ異なる通信形式の電波を送信可能に設定された複数のチャンネルを備え、中継制御部２１から入力される切換指令信号に基づいてそれらチャンネルが切り換わるようになっている。詳しくは、例えば送信回路２３は、送信周波数のチューニング機能と、複数の変調回路部とを備え、切換指令信号に基づいて送信周波数や変調方式が切り換わるようになっている。すなわち、送信回路２３は、中継制御部２１から入力される切換指令信号を出力選択条件として出力信号選択制御を行う。
【００４８】
したがって、本実施形態によれば、前記第１実施形態における上記（１）〜（３）に記載の効果に加えて、以下のような効果を得ることができる。
（４）受信切換スイッチ２６が操作されると、中継制御部２１における解読プログラムが切り換えられるとともに、中継用受信回路２２における受信チャンネルが切り換えられる。すなわち、受信切換スイッチ２６を操作することにより、車両用キー２と通信中継装置７との間の通信形式を切り換えることができる。そして、こうした切換操作によって選択された通信形式で中継用受信回路２２によって車両ＩＤコード信号が受信されると、中継制御部２１は、該車両ＩＤコード信号に基づいて照合を行い、該照合が成立すると、住宅ＩＤコード信号を送信回路２３から送信させる。このため、こうした通信中継装置７では、通信形式がそれぞれ異なる複数種の車両用キー２から送信される車両ＩＤコード信号を選択的に受信可能となる。よって、複数種の車両用キー２によって住宅４のドア錠を施解錠させることが可能となり、通信中継装置７の汎用性を大きく向上させることができる。
【００４９】
（５）送信切換スイッチ２７が操作されると、中継制御部２１におけるデータ変換プログラムが切り換えられるとともに、送信回路２３における送信チャンネルが切り換えられる。すなわち、送信切換スイッチ２７を操作することにより、通信中継装置７と住宅用施解錠装置６との間の通信形式を切り換えることができる。このため、こうした通信中継装置７では、通信形式がそれぞれ異なる複数種の住宅用施解錠装置６に対応した通信形式で住宅ＩＤコード信号を送信可能となる。よって、複数種の住宅用施解錠装置６に対応させることが可能となり、通信中継装置７の汎用性をさらに大きく向上させることができる。
【００５０】
なお、本発明の実施形態は以下のように変更してもよい。
・  前記各実施形態において、通信中継装置７における中継制御部２１のメモリ２１Ｍには、車両用ＩＤコードと住宅用ＩＤコードとが記録されている。そして、該中継制御部２１は、車両ＩＤコード信号が入力されると、その車両ＩＤコード信号に含まれる車両用ＩＤコードとメモリ２１Ｍに記録された車両用ＩＤコードとが一致したことを条件として、住宅用ＩＤコードを含む住宅ＩＤコード信号を送信回路２３から送信させるようになっている。しかし、中継制御部２１は、こうした車両用ＩＤコード及び住宅用ＩＤコードをメモリ２１Ｍに記録せず、車両ＩＤコード信号が入力された際に、その車両ＩＤコード信号を、住宅用施解錠装置６によって受信及び解読可能な通信形式に変換して送信回路２３から送信させるようになっていてもよい。すなわち、通信中継装置７は、受信した車両ＩＤコード信号を、そのまま住宅用施解錠装置６と住宅用キー５との間の通信形式に変換して送信するようになっていてもよい。
【００５１】
具体的には、例えば図４に示すように、まずステップＳ１１において住宅用施解錠装置６の施解錠制御部１１のメモリ１１Ｍに車両用ＩＤコードを記録する。なお、メモリ１１Ｍに対する車両用ＩＤコードの記録は、専用の治具や通信線を用いて行われることが考えられる。
【００５２】
そして、通信中継装置７は、ステップＳ１２において動作モードに設定されるとともに、ステップＳ１３において車両用キー２の操作部が操作され、該車両用キー２からの車両ＩＤコード信号を受信すると、ステップＳ１４において車両ＩＤコード信号を住宅ＩＤコード信号の通信形式に変換して送信する。
【００５３】
そして、住宅用施解錠装置６は、通信中継装置７から送信された車両ＩＤコード信号を受信すると、その車両ＩＤコード信号に含まれる車両用ＩＤコードとメモリ１１Ｍに記録された車両用ＩＤコードとの照合を行い、該照合が成立した際に電気錠１３を駆動させてドア錠を施解錠させる。このため、こうした変更態様によっても、車両用キー２の操作に基づいて住宅４のドア錠をも施解錠させることができる。
【００５４】
・  前記各実施形態において、車両用キー２と通信中継装置７との間での通信、及び通信中継装置７と住宅用施解錠装置６との間での各通信は、単方向に限らず双方向で行われるようになっていてもよい。
【００５５】
具体的には、例えば図５に示すように、車両用キー２は双方向通信可能に構成され、通信中継装置７から送信される車両用リクエスト信号を受信した際に、解錠コードと車両用ＩＤコードとを含む車両ＩＤコード信号を自動的に送信する。
【００５６】
住宅用施解錠装置６は送受信機能を有する住宅用送受信回路３１を備え、該住宅用送受信回路３１は、住宅用キー５及び通信中継装置７から送信される住宅ＩＤコード信号の受信機能を有するとともに、施解錠制御部１１から所定周期で入力される住宅用リクエスト信号を外部に送信可能となっている。
【００５７】
通信中継装置７は、それぞれ送受信機能を有する住宅通信用の送受信回路３２と中継用送受信回路３３とを備えている。住宅通信用の送受信回路３２は、中継制御部２１から入力される住宅ＩＤコード信号の送信機能を有するとともに、住宅用施解錠装置６から送信される住宅用リクエスト信号を受信可能となっており、受信した該住宅用リクエスト信号を復調して中継制御部２１に出力する。
【００５８】
中継制御部２１は、住宅通信用の送受信回路３２から住宅用リクエスト信号が入力されると、対応する車両用リクエスト信号を中継用送受信回路３３に出力する。また、中継制御部２１は、中継用送受信回路３３から車両ＩＤコード信号が入力されると、対応する住宅ＩＤコード信号を住宅通信用の送受信回路３２に出力する。
【００５９】
中継用送受信回路３３は、車両用キー２から送信される車両ＩＤコード信号の受信機能を有するとともに、中継制御部２１から入力される住宅用リクエスト信号を外部に送信可能となっている。
【００６０】
このようにすれば、双方向通信に基づく住宅４のドア錠の施解錠をも、車両用キー２を用いることができるため、通信中継装置７の利便性及び汎用性をより一層向上させることができる。
【００６１】
なお、図５においては、第１実施形態の変更態様を具体例として挙げており、第２実施形態においても同様に変更してもよい。
・  前記第２実施形態において、通信中継装置７の中継用受信回路２２及び送信回路２３のうち、一方のみが複数のチャンネルを備えた構成となっていてもよい。
【００６２】
・  前記各実施形態において、通信中継装置７と住宅用施解錠装置６との間の通信は、無線通信に限らず、有線による通信によって具体化されてもよい。
・  前記各実施形態において通信中継装置７はトリガスイッチ２４を備え、該トリガスイッチ２４の操作に基づいて動作モードと停止モードとに選択的に切り換わるようになっている。しかしながら、こうしたトリガスイッチ２４を省略するとともに、通信中継装置７を常に動作モードに固定としてもよい。
【００６３】
・  前記各実施形態において通信中継装置７は、住宅用施解錠装置６とは別体で構成されている。しかし、こうした通信中継装置７の機能を住宅用施解錠装置６に設けてもよい。なお、このように変更した場合には、通信中継装置７として機能する構成部を、住宅用施解錠装置６から着脱容易に構成することが、メンテナンスの観点からは望ましい。ちなみに、着脱容易な構成とは、例えば住宅用施解錠装置６として機能する構成部（主基板）に対し、通信中継装置７として機能する構成部（サブ基板）をスロット装着可能とする構成などが挙げられる。
【００６４】
・  前記各実施形態において、住宅用施解錠装置６は、例えば事務所や店舗など、住宅以外の建物に配設される建物用施解錠装置として具体化されてもよく、ドア錠の施解錠制御に限らず、窓錠等の施解錠制御を行うようになっていてもよい。
【００６５】
次に、特許請求の範囲に記載された技術的思想のほかに、前述した実施形態によって把握される技術的思想を以下に列挙する。
（１）  請求項１〜５のいずれか１項に記載の建物用施解錠システムにおける通信中継装置において、前記信号変換手段からの入力信号を、前記車両用キーによって受信可能な無線信号に変調して送信する送信手段を備え、前記信号変換手段は、前記建物用施解錠装置から出力される建物用リクエスト信号が入力された際に、前記車両用キーによって解読可能なデータ構造をなすとともに、前記車両用通信信号の送信を要求する車両用リクエスト信号を前記送信手段に出力すること。この（１）に記載の技術的思想によれば、建物用リクエスト信号に応答して送信された建物用通信信号が入力されたことを条件として、建物用施解錠装置が建物用錠を電気的に施解錠する構成となっている場合にも、車両用キーによる該建物用錠の施解錠が可能となる。
【００６６】
（２）  予め設定された建物用識別コードを含む建物用通信信号が建物用キーから入力されたことを条件として建物用錠を電気的に施解錠する施解錠制御手段を備えるとともに、予め設定された車両用識別コードを含む車両用通信信号を車載装置に無線送信することにより該車載装置を遠隔制御する車両用キーと通信可能に構成され、前記車両用通信信号を受信する受信手段と、該受信した車両用通信信号を前記建物用通信信号に変換して出力する信号変換手段とを有する通信中継手段を備えることを特徴とする建物用施解錠装置。
【図面の簡単な説明】
【００６７】
【図１】本発明の第１実施形態の概略構成を示すブロック図。
【図２】同実施形態の通信シーケンスを示すシーケンスチャート。
【図３】第２実施形態の通信中継装置の概略構成を示すブロック図。
【図４】他の実施形態の通信シーケンスを示すシーケンスチャート。
【図５】他の実施形態の概略構成を示すブロック図。
【符号の説明】
【００６８】
１…車両、２…車両用キー、３…車載装置、４…住宅、６…住宅用施解錠装置、７…通信中継装置、２１…信号変換手段としての中継制御部、２１Ｍ…記録手段としてのメモリ、２２…受信手段としての中継用受信回路、２３…出力手段としての送信回路、２４…操作手段としてのトリガスイッチ。
【図１】
2007262793.tif 000003
【図２】
2007262793.tif 000004
【図３】
2007262793.tif 000005
【図４】
2007262793.tif 000006
【図５】
2007262793.tif 000007